(57)【要約】【課題】従来の男性性器の勃起持続装置は、両手で使用するものだったため、空いた片方の手で男性性器を刺激させたり、睾丸の下部を押さえたりして勃起させておくことができなかった。又困ったときに、瞬時に緩めることがきでなかった。さらに装置が大がかりなものであった。【解決手段】男性性器の勃起が長続きしない男性の勃起を持続させるため、男性性器に流れ込んだ血液の流れを阻止して、男性性器を鬱血状態に保持するためのものである。締付け係合バンドを用いて男性の片手の手指を広げる力で締付けをすることができる。軽量小形で単純なつくりの装置であり、解除操作片を押すだけで、瞬時に緩めることができる。【選択図】図１
2011229809.tif 000002
【特許請求の範囲】
【請求項１】
係合付締め付けバンドの片方の先端に締付けバンドを親指などで締め付けのできるほどの広さの面を持った装置をバンドと一体になるよう成型する。
【請求項２】
係合付締め付けバンドのもう片方の先端に小指の裏付近で押すことができるほどの広さの面を持った装置をバンドに装着する。
【請求項３】
係合付締め付けバンドを一方向に締め付けができるようにストッパーの役目をして締め付けを解除もできる解除操作片を設ける。
【請求項４】
係合付締め付けバンドの片方の先端に締付バンドを親指などで締付けのできる程の拡さを持った装置の、中心を支点として可動する装具をはめ込む。
【請求項５】
スポンジ状で円筒形の、一部を切断した装具で、外周の中央部に締付けバンド１の幅の溝を設けた装具の一部分を切断した装具。
【請求項６】
図１の装置の構造とは異なる方法で、締付けバンドの一方の端に、親指などで締付けができるほどの面を持っていて図１より単純な構造の装具を設ける。
【請求項７】
締付けバンドの一方の端に親指などで締付けができる程度の面を持った装具の付いた単純な構造の装置で、もう一方の端に小指の横などで押すことができて締付けバンド上をスライドできる構造で、解除操作片を設けた装具を設ける。
【発明の詳細な説明】
【技術分野】
【０００１】
本発明は、片手で簡単に男性性器の根元を締め付けて勃起を持続させ。また瞬時に緩めることができる装具である。
【背景技術】
【０００２】
今までに発明された装置は、両手を使わなければならず、又男性性器の根元の締め付けが不十分だったりした、それに締め付けたら痛かった、また瞬時に緩めることができなかった。
【発明の概要】
【発明が解決しようとする課題】
【０００３】
今までには、バックスジャパンという会社のエスペランサステラやパワーリングネオとかがあったが、両手を使わなければならず、強い締め付けができなかった、また瞬時に緩めたり取り外しができなかった。
【課題を解決するための手段】
【０００４】
本発明は、係合付締付けバンドを使用して片手の、手指を広げる力で男性性器の根元を強く締め付けることができる、また解除操作片を押すことによって瞬時にバンドを緩めることができる装置である。
【発明の効果】
【０００５】
本発明の男性性器の勃起持続装具は、男性性器の根元を片手で強く締め付けることができるため、勃起状態になった性器の根元を締め付け、流れ込んだ血液の流れを防止して、性器を鬱血状態に保持する装具である。外すときには陰毛などが挟まることがない。
【図面の簡単な説明】
【０００６】
【図１】図１は男性性器の勃起持続装具の動きを示し、（１）は締め付ける前の状態を示す断面図、（２）は締め付け後の状態を示す断面図である。
【図２】図２は男性性器の勃起持続装具と併用するスポンジ状で円筒形の装具を示す斜視図である。
【図３】図３は別の締め付け方法を示す男性性器の勃起持続装具の要部断面図である。
【発明を実施するための形態】
【０００７】
この装置の装備品は、人の肌に接触してもなるべく刺激が少ない形状である。
【０００８】
係合付締付けバンドにＢの解除操作片を設けて、１のバンドの端に設けたＡのＧ側の手を親指などで押し、１のバンドのもう片方の端に装着した３のＮ側を小指付近で押す、片手の手指を拡げる力で４のスポンジ状の装具を締め付ける。
【０００９】
１１の男性性器の根元が徐々に締まるが下のスポンジ状の筒形の外周中央付近に１のバンドの幅の溝を設けてあるので４のスポンジ状で筒形の装具から外れることはない。
【００１０】
Ａのバンドの端に設けた装具の中心に支点を持つ装具２は、可動式で、１のバンドの端に設けた３の装具側に４５度倒れて、その面Ｈを親指などで押せるようになっている、これは手指の小さい男性でも押せるようにしたものである。
【００１１】
５はビニールテープで、締め付けの際にスポンジ状で円筒形の４の切断面に男性性器の皮や陰毛を挟まないためのもので、５のスポンジ状で円筒形の装置の断面の内側に一部が接着してあり、男性性器を巻くようにして使用する。
【００１２】
この発明は係合付締付けバンドと解除操作片を用いた装置である。
【００１３】
図２は円筒形で、係合付締付けバンドと併用して使うスポンジ状の装具である、締付けバンドの幅のガイドレールの溝Ｆを外側の中央部に設けてある、この円筒形でスポンジ状の装具を用いることで性器の皮や陰毛を挟むことなく、又、痛みも少ない。図３は図１とは異なる方法で手の幅が小さい男性などが使うと都合がいい、７の小指付近で押す装置にも解除、操作片を設けてＭのバンド上をスライドさせて使用する。
【符号の説明】
【００１４】
１  歯止めができる形状の引っ掛かりを設けたバンド
２  １のバンドの片方に装備した側面を親指付近で押す装具の、一部が根元にはめ込んである装置。
３  バンドの端に設けた小指付近で押すことができる装置。
４  スポンジ状の円筒形の装具で一部を切断してあり、外側中央部にバンド１の幅で溝が掘ってある。
５  性器の皮や陰毛を挟まないために設けたもので、１部を４のスポンジ状で円筒形の装置に接着してある。
６  男性性器。
７  係合付きで小指の外側などで押せる装具。
Ａ  １の歯止めのできる形状の付いたバンドと一体になっているバンドの片方の先端に装備してあり、側面を親指などで押すための装具。
Ｂ  締め付けを緩める解除片。
Ｃ  １のバンドと一体になったＢの解除片の支点。
Ｄ  ２の可動式の装具の支点で、Ａのバンドの端に付いた装具の中にはめ込んである。
Ｅ  スポンジ状で円筒形の装具を切断してある場所。
Ｆ  スポンジ状で円筒形の４の外側の中央部に掘ってある、１のバンドの幅の溝。
Ｇ  解除片。
Ｈ  親指付近で押す面Ｈで、小指付近で押す３の装具のＮ面と反作用する装具。
Ｊ  図１の方法とは別に、バンドの端に装備した親指付近で押すことができる単純な装具。
Ｋ  図１のＢと同じつくりの解除片。
Ｌ  図１のＢと同じつくりの解除片。
Ｍ  １のバンドと似ているが端の近くまで引っかかりを形成した装具。
Ｎ  ３の側面。
【図１】
2011229809.tif 000003
【図２】
2011229809.tif 000004
【図３】
2011229809.tif 000005
【手続補正書】
【提出日】平成22年10月7日(2010.10.7)
【手続補正１】
【補正対象書類名】明細書
【補正対象項目名】全文
【補正方法】変更
【補正の内容】
【発明の詳細な説明】
【技術分野】
【０００１】
本発明は、勃起した男性器の根元を片手で絞め付けて、勃起を持続させ、また瞬時に緩めることができる給付絞め付けバンドで安価で操作の簡単な装具である。
【背景技術】
【０００２】
今までに発明された勃起持続装具は、両手を使わなければならなかった、又、男性器の根元の絞め付けが不十分だったりした、それに絞め付けたらすぐに痛くなる装具もあった。
【発明の概要】
【発明が解決しようとする課題】
【０００３】
今までには、バックスジャパン社のエスペランサステラやパワーリングネオとかがあったが、両手を使わなければならず、充分な絞め付けができなかった、瞬時に緩めたり、取り外しができないものが多かった、ひもやバンドのようなもので直接絞め付けると、男性器に食い込んで痛いものもあった。
【課題を解決するための手段】
【０００４】
本発明は、係合付絞付けバンドを使用して、片手の手指を押し拡げる力で勃起した男性器の根元を強く絞め付けて勃起を持続させることができる装具である、係合絞付けバンドは合成樹脂でできており、構造は鋸の歯形の形状をバンドの両端近くまで成型して、そのバンドを通す長方形状の穴をバンドの片端に成形する、そのバンドを通す穴付近にそのバンドの鋸の歯の谷の部分に入り込んでバンドを１方向にしかスライドさせない形状の突起部分と、それを開除させる取っ手部分を一体に成形する、その係合わせの支点もバンドと一体に成形してある、以下解除片という、
絞め付けバンドの内側に男性器の根元を三百六十度覆うスポンジ状の装具４を用いる、これは男性器を係合絞め付けバンドで締め付けた際の、痛みが最も分散されるほどの厚みと幅を有する、かつ性交時には、なるべく邪魔にならない形状と大きさの装具である、解除片を操作すれば瞬時に緩めることができる、４のスポンジ状で円筒形の装具は、筒が円形に広がるように一部が完全に切断してあり、外周の中央部には絞め付けバンドの幅の溝が三百六十度設けてある。
【発明の効果】
【０００５】
本発明の男性器の勃起持続装具は、男性器の根元をスポンジ状で、円筒形の装具４を解して係合付き絞め付けバンドで強く絞め付けるものである、  この装具は片手で操作できるもので、もう一方の片手で男性器の根元の下部の会陰部を強く押さえる、そうするとそこに溜まっていた血液が男性器の亀頭の方に流れ込み男性器が勃起する、その時点でもう片方の手を使って  係合付絞付けバンドで締付けると、男性器の勃起が持続できるという装具である。
【図面の簡単な説明】
【０００６】
【図１】図１は男性器の勃起持続装具である、(１)は締め付ける前の状態を示す断面図、 (２)は絞め付け後の状態を示す断面図である。
【図２】図２は男性器の勃起持続装具と併用するスポンジ状で円筒形の装具を示す斜視図である。
【図３】図３は別の締め付け方法を示す男性器の勃起持続装具の要部断面図である。
【発明を実施するための形態】
【０００７】
この装具は、人の肌に接触しても刺激が少ない形状である。
【０００８】
図１の係合付絞付けバンドの解除片Bの裏側に、かまぼこ状に成形されたAの内側Gの面は、親指で押せる構造である、また、その反対側の端には、Aの方向から見て円形または楕円形状の装具３を接着させ、その内側の面７を、丸めた小指の外側で押せる構造にする、親指と丸めた小指の外側を使って、片手を押し拡げる力で勃起した男性器を絞め付けて、勃起を持続させる装具である図２は男性器の根元を三百六十度覆って締め付けバンドで締め付けた際の痛みを分散させるスポンジ状で円筒形の装具である、男性器の先端のほうから挿入しようとすると亀頭が邪魔になって入らないので、一ヶ所を完全に切断してあり、男性器の根元に切断面を拡げて横に押し入れて設置する装具である、粘着性は無い、これは係合付絞付けバンドで強く絞めたときの痛みを分散させる装具である、装具４の切断部で、男性器６に密着する部分にはテープ５を設置する、このテープの片方は装具４の内側に接着させてあり、男性器の陰毛などが４の切断部に挟まらないようにする装具である。
【０００９】
図３は全体としては図１の係合付絞付けバンドと似ているが、鋸の歯状を設けたバンド１の片方の端に、解除片Ｋと一体に成形されたＪを成形する、Ｊは図１の（１）のＡより単純な構造である、又、バンドのもう片方の端の付近にＮを設置する、Ｎは解除片と一体に成形されておりＪの側から見ると円形または楕円形状になっている、この係合付絞付け装具の使い方は、ＪのＯ側の面を親指で押し、又Ｊと反作用するＮのＰ側の面を小指を丸めたその外側で押し、片手を押し拡げる力で係合付絞付けバンドを締め付けるものである、手指を最大に拡げても締め付けが足りない場合、Ｌの解除片を片手で操作してＮをＪ側にスライドさせて、もう１度手指を拡げる力でより強く締め付けることができる装具である、又、図３の装具はＮの装具を外してしまえば、形状Ｊと一緒に成形してある係合部分の穴から、絞め付けバンドを抜いて外すことができるので男性器の根元に巻きつけてある状態から横に外すこともできる。
【００１０】
図１の(２)は係合付絞め付け装置とスポンジ状で円筒形の４を併用して男性器を締め付けた図である。
【符号の説明】
【００１１】
１  バンド
２  Ｄを支点として装具３側に４５度倒すことができる装具
３  バンドの反対端に接着してあり円形または楕円形状の装具
４  スポンジ状で円筒形の装具
５  ビニールテープ
６  男性器
７  ３の装具の内側
Ａ  バンドの片方の端に装備してありもう片方の端に設けた装具
Ｂ  解除片
Ｃ  解除片の支点
Ｄ  支点
Ｅ  切断面
Ｆ  溝
Ｇ  Ａの一つの面
Ｈ  装具２の一面
Ｊ  バンドの片端に成形したもの
Ｋ  解除片
Ｌ  解除片
Ｎ  鋸の歯状のついたバンド上をスライドできる装具
【手続補正２】
【補正対象書類名】特許請求の範囲
【補正対象項目名】全文
【補正方法】変更
【補正の内容】
【特許請求の範囲】
【請求項１】
この発明は係合付絞付けバンドという公知技術を使った発明である、片側を鋸の歯状に成形したバンド１の先端にかまぼこ状のＡを設けてそれと逆側に解除片Ｂを設ける、ＡとＢの間には長方形状でバンド１が通る穴を設ける、ＡもＢもバンドも一体に成形されている、バンド１は穴を通してしまい、その先端に装具３を接着させる３はＡの方向から見ると円形又は楕円形状をしている、２は形状Ａに接していて装具３の方向から見ると長方形状で逆Ｔの字形の足が成形してある、その足の先端が支点Ｄである、装具２はＤを支点として装具３の方向へ四十五度倒すことができることを特徴とする男性器の勃起持続装具。
【請求項２】
円筒形でスポンジ状の装具４は、筒が円形に拡がるように一部が完全に切断されている、その装具４は係合付絞付けバンドの内側に男性器を三百六十五度巻きつける形で設置する、外周の中央付近には絞め付けバンドの幅の溝が三百六十五度設けてある、一部を切断してあり男性器の根元に横から入れることができる、又切断部分の筒の内側に片方を接着したテープ５を設置することを特徴とする請求項１に記載の男性器の勃起持続装具。
【手続補正３】
【補正対象書類名】図面
【補正対象項目名】全図
【補正方法】変更
【補正の内容】
【図１】
2011229809.tif 000006
【図２】
2011229809.tif 000007
【図３】
2011229809.tif 000008
【手続補正書】
【提出日】平成23年5月17日(2011.5.17)
【手続補正１】
【補正対象書類名】明細書
【補正対象項目名】全文
【補正方法】変更
【補正の内容】
【発明の詳細な説明】
【技術分野】
【０００１】
本発明は、勃起した男性器の根元を片手で絞め付けて、勃起を持続させ、また瞬時に緩めることができる係合付絞め付けバンドで安価で、操作の簡単な装具である。
【背景技術】
【０００２】
今までに発明された勃起持続装具は、両手を使わなければならなかった、又、男性器の根元の絞め付けが不十分だったり、それに絞め付けたらすぐに痛くなる装具もあった。
【発明の概要】
【発明が解決しようとする課題】
【０００３】
今までにも、男性器の勃起持続装置で男性器の根元を絞め付けるものはあったが、両手を使わねばならず、充分な絞め付けができなかった、瞬時に緩めたり、取り外しができないものが多かった、また、ひもやバンドのようなもので直接絞め付けると、男性器に食い込んで痛いものもあった。
【課題を解決するための手段】
【０００４】
本発明は、係合付絞め付けバンドを使用して、片手の手指を押し拡げる力で、勃起した男性器(６)の根元を強く絞め付けて勃起を持続させることができる装置である、係合絞め付けバンドは合成樹脂でできており、構造は鋸の歯形の形状をバンド(１)の片面の両端近くまで成型して、そのバンド(１)を通す長方形状の穴をバンド(１)の片端に成形する、そのバンド(１)を通す穴付近にそのバンド(１)の鋸の歯の谷の部分に入り込んでバンド(１)を一方向にしかスライドさせない形状の突起部分と、それを開除させる取っ手部分を成形する、その係合わせの支点(C)もバンド(１)と一体に成形してある、以下解除片という、その解除片(B)の逆側には、親指で押せるような形状の押圧部(A)を設ける、また、バンド(1)の引き出し部の先端には小指を巻いた、外側で押せるほどの支え部(３)を設ける、締め付けバンド(１)の内側に男性器(６)の根元を三百六十度覆うスポンジ状の緩衝材(4)を用いる、これは男性器(６)を係合付き締め付けバンド(１)で締め付けた際の痛みが最も分散される程の厚みと幅を有する、かつ性交時には、なるべく邪魔にならない形状と大きさの装具である、解除片(B)を操作すれば瞬時に緩めることができる、緩衝材(４)は、筒が円形状に拡がるように一部が完全に切断(E)してあり、外周の中央部には、締め付けバンド(１)の幅の溝(F)が三百六十度設けてある。
【発明の効果】
【０００５】
本発明の男性器の勃起持続装置は、男性器(６)の根元をスポンジ状で、円筒形の緩衝材(４)を介して係合付絞め付けバンドで強く絞め付けるものである、この係合付絞め付けバンドは片手で操作できるもので、もう一方の片手でまず男性器(６)の根元の下部の会陰部を強く押さえる、そうすると、そこに溜まっていた血液が男性器(６)の亀頭の方に流れ込み男性器(６)が勃起する、その時点でもう片方の手を使って係合付き絞め付けバンドで締め付ける、そうすることによって男性器(６)の勃起が持続できるという装具である。
【図面の簡単な説明】
【０００６】
【図１】図１の《１》は締め付ける前の状態を示す。図１の《２》は係合付絞め付け装置と緩衝材(４)を併用して男性器(６)を締め付けた図である。
【図２】図２は男性器(６)の根元を三百六十度覆って絞め付けバンドで絞め付けた際の、痛みを分散させるスポンジ状で円筒形の緩衝材(４)である、男性器(６)の先端の方から挿入しようとすると亀頭が邪魔になって入らないので、一か所を完全に切断してあり、男性器(６)の根元に切断面(E)を拡げて横に押して入れてそこに設置する緩衝材(４)である、外周の中央部には鋸の歯状を成形したバンドの幅の溝を設けてある、また、切断部分の筒の内側には片方を接着させたテープ(５)を設けてある、これは男性器(６)にこの緩衝材(４)を巻き付ける際、切断面(E)に陰毛などを挟まない為の装具である。
【図３】図３は係合付絞め付けバンドの図１とは異なる方法で、片手で係合付絞め付けバンドを操作する装置で、解除片(K)の裏側にその解除片(K)と一体に成形されて、形状は図１の押圧部(A)よりもバンド(１)の延長方向へ長くなっている、これが装具(J)である、また、押圧部(J)の側とはバンド(１)を介して反作用する支え部(N)を設置する、これは解除片(L)がついており、手指を丸めてその外側で押すことができる装具で、押圧部(J)の方向から見たら円形または楕円形状をしていて、鋸の歯の形状を備えたバンド上をスライドできる事を特徴とする男性器の勃起持続装置である。
【発明を実施するための形態】
【０００７】
この装置は、人の肌に接触しても刺激が少ない形状である。
【０００８】
図１は係合付締め付けバンドで、バンドの片端に、蒲鉾状の断面で親指で押すために成形した押圧部(A)を設ける、バンド(１)の引き出し側の端には支え部(３)を、バンド(１)と直角に接着させる、支え部(３)は押圧部(A)の方向から見ると円形または楕円形状である、押圧部(A)は支え部(３)側から見ると長方形状である、補助押圧部(２)は押圧部(A)に接していて、支え部(３)の方向から見ると長方形で逆T字型の足が成形されている、補助押圧部(２)は逆T字型の足の先端すなわち補助押圧部(D)を支点（１)にして九十度支え部(３)側に倒すことができる、本発明の使用法は押圧部(A)の(G)の面を片手の親指で押し、支え部(３)の(７)の面を小指を巻いたその外側で押し、片手指を押し広げる力で締め付けバンドを締め付け、緩衝材(４)を介して男性器(６)の根元を締め付ける、片手の手指をいっぱいに拡げても締め付けが足りない場合は補助押圧部(２)を支え部(３)の側に九十度倒して、今度は(H)の面を押すとさらに強い締め付けが得られる、緩衝材(４)の断面(E)の切断部の内側の片側に、テープの片方を接着させる、これは男性器(６)の陰毛などが緩衝材(４)の切断部(E)に挟まらないようにする装具である。
【０００９】
図３の発明も係合付締め付けバンドを利用した発明である、鋸の歯状を片面に成形したバンド(１)の片方の端に、解除片(K)と一体に成形された押圧部(J)を成形する、またバンドの引き出し側の端には支え部(N)を設置する、支え部(N)の逆側には解除片(L)を一体に成形する、支え部(N)は押圧部(J)の側から見ると、円形または楕円形状である。押圧部(J)は、支え部(N)側から見ると長方形状をしている、この係合付締め付けバンドの使い方は、押圧部(J)のO側の面を親指で押し、また押圧部(J)と反作用する支え部(N)のP側の面を、小指を丸めたその外側で押し、片側で手指を押し広げる力で係合付締め付けバンドを締め付けて、緩衝材(４)を介して男性器(６)の根元を締め付ける、また手指を最大に拡げても締め付けが足りない場合は、(L)の解除片を片手で操作しながら支え部(N)を押圧部(J)側にスライドさせて、もう１度手指を拡げる力で、より強く締め付けることができる装置である、また図３の発明は、支え部(N)をバンド(１)の引き出し端から抜いて、取り外しができる、また押圧部(J)と一緒に成形してある係り合い部分の穴から、締め付けバンド(１)を抜いてしまえるので、男性器(６)の根元に巻きつけてある状態から横に取り外すこともできることを特徴とする男性器の勃起持続装置である。
【符号の説明】
【００１０】
１  バンド
２  補助押圧部
３  支え部
４  緩衝材
５  ビニールテープ
６  男性器
７  支え部３の内側の一面
Ａ  押圧部
Ｂ  解除片
Ｃ  解除片の支点
Ｄ  補助押圧部２の支点
Ｅ  切断面
Ｆ  溝
Ｇ  押圧部Ａの一つの面
Ｈ  補助押圧部２の一面
Ｊ  押圧部
Ｋ  解除片
Ｌ  解除片
Ｎ  バンド１上をスライドできる支え部
【手続補正２】
【補正対象書類名】特許請求の範囲
【補正対象項目名】全文
【補正方法】変更
【補正の内容】
【特許請求の範囲】
【請求項１】
本発明は係合付絞め付けバンドという公知技術を使った発明である、片側を鋸の歯状に成形したバンド(１)の先端に親指で押すために成形した蒲鉾状の断面の押圧部(Ａ)を設ける、バンド(１)の引き出し側の端部には、バンド１と直角に接着させて小指側を支えるための支え部(３)を設ける、押圧部(A)のバンド(１)を介してその逆側に解除片(B)を設ける、押圧部(Ａ)と解除片(Ｂ)の間には長方形状でバンド(１)が通る穴を設ける、押圧部(Ａ)も解除片(Ｂ)もバンド(１)も一体に成形されている、支え部(３)は押圧部(Ａ)の方向から見ると円形または楕円形状である、補助押圧部(２)は押圧部(Ａ)に接していて支え部(３)の方向から見ると長方形状で逆Ｔの字形の足が成形してある、その足の先端が支点(Ｄ)である、補助押圧部(２)はＤを支点として支え部(３)の方向へ九十度倒すことができることを特徴とする男性器の勃起持続装置である。
【請求項２】
緩衝材(４)は、筒が円形状に拡がるように一部が完全に切断されている、その緩衝材(４)は係合付絞め付けバンドの内側に男性器(６)を三百六十度巻きつける形で設置する、外周の中央付近には絞め付けバンドの幅の溝(F)が三百六十度設けてあり、一部を切断してある男性器(６)の根元に横から入れることができる、又、緩衝材(４)の切断部(E)の内側の片側にテープ(５)を接着すること特徴とする請求項１に記載の男性器の勃起持続装置。